(57)【要約】【課題】長期に亘って良好な外観を実現する。【解決手段】竪枠材Ａに固定するベース材１０と、ベース材１０の係合部１１、１１に弾発的に係合させるカバー材２０と、ベース材１０に取り付け、ベース材１０、カバー材２０の上端を塞ぐキャップ３０とを組み合わせる。  カバー材２０は、ベース材１０を介して竪枠材Ａの角部を覆って保護することができる。【選択図】図１
2005089972.tif 000002
【特許請求の範囲】
【請求項１】
竪枠材に固定し、竪枠材の相隣る２面上にそれぞれ係合部を有するベース材と、前記係合部に弾発的に係合させて竪枠材の角部を覆うカバー材と、前記ベース材に取り付け、竪枠材の相隣る２面に密接して前記ベース材、カバー材の上端を塞ぐキャップとを備えてなる竪枠材の保護装置。
【請求項２】
前記キャップは、前記ベース材に対し、上下動可能に取り付けることを特徴とする請求項１記載の竪枠材の保護装置。
【請求項３】
前記ベース材、カバー材は、それぞれ竪枠材の相隣る２面の方向に同一幅を有することを特徴とする請求項１または請求項２記載の竪枠材の保護装置。
【請求項４】
前記ベース材、カバー材は、それぞれ竪枠材の相隣る２面の方向に異なる幅を有することを特徴とする請求項１または請求項２記載の竪枠材の保護装置。
【請求項５】
前記カバー材の下端には、前記ベース材を介し、前記キャップと対称に別のキャップを配置することを特徴とする請求項１ないし請求項４のいずれか記載の竪枠材の保護装置。
【発明の詳細な説明】
【技術分野】
【０００１】
この発明は、引き戸や扉を組み込む戸枠の竪枠材を保護するために使用する竪枠材の保護装置に関する。
【背景技術】
【０００２】
建築物の開口部を開閉する引き戸や扉は、戸枠に組み込まれ、必要に応じて開口部を開閉することができる。一方、戸枠の竪枠材は、開口部を通過する人や荷物用の台車などが衝突することにより、思わぬ損傷を生じることが少なくない。そこで、竪枠材を保護するために、保護材を使用することが知られている。
【０００３】
かかる目的に使用する保護材は、たとえば荷造り用のガムテープである。このものは、裏面の粘着材を介し、竪枠材の角部を覆うようにして竪枠材の下部に上下方向に貼着することによって、竪枠材の損傷を防止し、竪枠材を保護することができる。なお、保護材として、たとえば両面接着テープなどを介してゴム材などの弾性材からなる保護部材を竪枠材に装着することもある。
【発明の開示】
【発明が解決しようとする課題】
【０００４】
かかる従来技術によるときは、保護テープは、薄い布材にゴム材または合成樹脂材を含浸させて形成されているから、衝撃によって破れ易く、竪枠材を十分に保護することができない上、外観が見苦しくなりがちであり、頻繁に交換しなければならないという問題があった。また、ゴム材などの保護部材も、衝撃によって竪枠材から脱落し易く、同様の問題が避けられない。
【０００５】
そこで、この発明の目的は、かかる従来技術の問題に鑑み、ベース材と、カバー材と、キャップとを組み合わせることによって、竪枠材の保護性能が十分であり、長期に亘って良好な外観を実現することができる竪枠材の保護装置を提供することにある。
【課題を解決するための手段】
【０００６】
かかる目的を達成するためのこの発明の構成は、竪枠材に固定し、竪枠材の相隣る２面上にそれぞれ係合部を有するベース材と、係合部に弾発的に係合させて竪枠材の角部を覆うカバー材と、ベース材に取り付け、竪枠材の相隣る２面に密接してベース材、カバー材の上端を塞ぐキャップとを備えることをその要旨とする。
【０００７】
なお、キャップは、ベース材に対し、上下動可能に取り付けることができる。
【０００８】
また、ベース材、カバー材は、それぞれ竪枠材の相隣る２面の方向に同一幅または異なる幅を有してもよい。
【０００９】
なお、カバー材の下端には、ベース材を介し、キャップと対称に別のキャップを配置することができる。
【発明の効果】
【００１０】
かかる発明の構成によるときは、竪枠材に固定するベース材は、竪枠材の相隣る２面上にそれぞれ係合部を有し、カバー材は、ベース材の係合部に弾発的に係合させることにより、ベース材を介して竪枠材の角部を覆い、竪枠材を適切に保護するとともに、キャップ材と相俟って、長期に亘り、良好な外観を実現することができる。なお、ベース材は、たとえばアルミニウム押出形材を使用することが好ましく、カバー材、キャップは、それぞれたとえばＡＢＳ樹脂のような硬質合成樹脂材により一体成形することが好ましい。ただし、カバー材、キャップは、それぞれ金属材または硬質合成材の表面に、適当な弾性を有するウレタンゴム材などを貼着する複合材料としてもよい。なお、カバー材は、ベース材の係合部に弾発的に係合させるから、必要に応じて簡単に取り外して交換することができる。
【００１１】
キャップは、ベース材に対して上下動可能に取り付けることにより、カバー材の交換作業を一層容易にすることができる。キャップを上方に押し上げることにより、カバー材の上端とキャップとの間に必要な隙間を作ることができるからである。
【００１２】
ベース材、カバー材は、それぞれ竪枠材の相隣る２面の方向に同一幅または異なる幅を有するように形成することによって、異なる外観を実現し、用途に応じて使い分けることができる。なお、いずれの場合も、キャップは、ベース材、カバー材の形状に合わせて形成するものとする。
【００１３】
カバー材の下端に別のキャップを配置すれば、カバー材の下端を床に接地させることなく、竪枠材の任意の高さ位置にカバー材を装着することができる。ただし、下のキャップは、ベース材に対し、上下動不能に固定するものとする。
【発明を実施するための最良の形態】
【００１４】
以下、図面を以って発明の実施の形態を説明する。
【００１５】
竪枠材の保護装置は、竪枠材Ａに固定するベース材１０と、カバー材２０、キャップ３０とを備えてなる（図１、図２）。
【００１６】
竪枠材Ａは、吊り戸式の引き戸Ｄを装着する戸枠の戸先側の柱材である。そこで、図１において、竪枠材の保護装置は、竪枠材Ａの下部の前面側、後面側から戸当り側にかけて対称に装着されている。
【００１７】
竪枠材Ａは、薄鋼板を所定形状に折曲げ加工して形成されている。ただし、竪枠材Ａは、木材であってもよく、建築物の構造材であってもよい。
【００１８】
ベース材１０は、竪枠材Ａの相隣る２面の方向に同一幅を有する断面等辺Ｌ形のアルミニウム押出形材である。ベース材１０の各辺の先端部には、竪枠材Ａの相隣る２面上に位置するフック状の係合部１１、１１が形成されている。また、ベース材１０の各辺の表面には、ガイド用の小溝１２上にビス孔１３、１３…が長手方向に配列して形成されている。
【００１９】
カバー材２０は、ベース材１０に適合する断面等辺Ｌ形の部材であって、各辺の先端部には、ベース材１０の係合部１１、１１に対して外側から係合するフック２１、２１が形成されている。また、カバー材２０の各辺の内面には、ベース材１０の各辺の表面に当接するスペーサ用のリブ２２が各辺の接合部の近傍に形成されている。カバー材２０は、ベース材１０と同一長さに切断され、フック２１、２１を係合部１１、１１に弾発的に係合させることにより、ベース材１０を介し、竪枠材Ａの角部を覆うようにして竪枠材Ａに取外し可能に取り付けることができる。なお、各係合部１１、フック２１の先端面は、両者が円滑に係合し得るように、それぞれ係合方向の斜面に形成されている。
【００２０】
キャップ３０は、等辺Ｌ形の本体３１の各辺の下面に脚３２を垂設して形成されている。各脚３２には、丸い皿ビス孔３２ａ、長孔状の皿ビス孔３２ｂが上下に形成されている。
【００２１】
ベース材１０は、ビス孔１３、１３…に挿通させるタッピンねじ１３ａ、１３ａ…を介し、竪枠材Ａの前面側または後面側と戸当り側との相隣る２面に対し、竪枠材Ａの角部を覆うように固定する（図３（Ａ））。ただし、ベース材１０の下端は、床に接地させ、上端は、キャップ３０の長孔状の皿ビス孔３２ｂ、３２ｂに挿通するタッピンねじ１３ａ、１３ａを共用する（同図（Ｂ））。すなわち、キャップ３０は、長孔状の皿ビス孔３２ｂ、３２ｂに挿通するタッピンねじ１３ａ、１３ａを介し、ベース材１０の上端部に上下動可能に取り付けられている。なお、各タッピンねじ１３ａは、ベース材１０の各辺のビス孔１３に大してなべ頭を使用し（図２）、キャップ３０の皿ビス孔３２ｂ、３２ｂに対し、皿頭を使用するものとする。
【００２２】
つづいて、ベース材１０に対してカバー材２０を係合させて完成する（図３（Ｃ））。カバー材２０の下端は、床に接地させ、上端は、ベース材１０の上端とともに、キャップ３０を介して塞がれている。なお、キャップ３０は、本体３１の内側面が竪枠材Ａの相隣る２面に密接し、下向きに押し下げることにより、ベース材１０、カバー材２０の上端を塞ぐことができる（図４の実線）。
【００２３】
キャップ３０は、上方に押し上げてベース材１０、カバー材２０の上端と本体３１の下面との間に隙間ｄを作ることにより（図４の二点鎖線）、カバー材２０をベース材１０から容易に取り外し、カバー材２０を交換することができる。なお、隙間ｄは、長孔状の皿ビス孔３２ｂの長さの範囲内で任意に設定可能である。
【００２４】
以上の説明において、カバー材２０の下端には、上のキャップ３０と対称に別のキャップ３０を配置することができる（図５）。なお、このときのベース材１０、カバー材２０は、それぞれの下端を床から離して竪枠材Ａに装着し、下のキャップ３０は、脚３２、３２を上向きにして、丸い皿ビス孔３２ａ、３２ａに皿頭のタッピンねじ１３ａ、１３ａを挿通することにより、ベース材１０に対して上下動不能に固定するものとする。
【他の実施の形態】
【００２５】
ベース材１０、カバー材２０は、竪枠材Ａの相隣る２面の方向に異なる幅を有するように形成することができる（図６、図７）。ただし、図６において、引き戸Ｄは、敷居Ｂを介して開閉し、竪枠材Ａの戸当り側には、クッション材Ａ1 が装着されている。
【００２６】
ベース材１０は、竪枠材Ａの前面側または後面側に対して幅が大きく、戸当り側に対して幅が十分小さい断面不等辺Ｌ形に形成されている。カバー材２０は、このようなベース材１０に適合するように断面不等辺Ｌ形に形成され、ベース材１０の係合部１１、１１に弾発的に係合させるフック２１、２１を有する。キャップ３０は、ベース材１０、カバー材２０に適合する不等辺Ｌ形の本体３１の長辺側の下面に、丸孔状、長孔状の皿ビス孔３２ａ、３２ｂ付きの脚３２を垂設している。そこで、ベース材１０、カバー材２０、キャップ３０は、図１〜図４に準じて、竪枠材Ａの前面側または後面側に対称に取り付けることができ、カバー材２０を交換することができる。
【００２７】
ただし、このときのキャップ３０は、竪枠材Ａの前面側、後面側に対応させるために、左右勝手違いの２種類を用意するものとする。ベース材１０、カバー材２０は、それぞれ上下反転させて竪枠材Ａの前面側、後面側に使用可能であり、各１種類を用意すれば十分である。
【００２８】
なお、図６の実施形態も、図５に倣って、上下の勝手違いのキャップ３０、３０を介し、竪枠材Ａの任意の高さ位置に装着することができる。
【図面の簡単な説明】
【００２９】
【図１】全体構成分解斜視図
【図２】図１のＸ−Ｘ線矢視相当拡大断面図
【図３】組立手順説明図
【図４】要部拡大動作説明図
【図５】他の実施の形態を示す要部分解斜視図
【図６】他の実施の形態を示す図１相当図
【図７】図６のＹ−Ｙ線矢視相当拡大断面図
【符号の説明】
【００３０】
Ａ…竪枠材
１０…ベース材
１１…係合部
２０…カバー材
３０…キャップ
特許出願人          小松ウオール工業株式会社
代理人  弁理士                松  田  忠  秋
【図１】
2005089972.tif 000003
【図２】
2005089972.tif 000004
【図３】
2005089972.tif 000005
【図４】
2005089972.tif 000006
【図５】
2005089972.tif 000007
【図６】
2005089972.tif 000008
【図７】
2005089972.tif 000009